【手続補正書】
【提出日】令和2年2月21日(2020.2.21)
【手続補正１】
【補正対象書類名】明細書
【補正対象項目名】００１６
【補正方法】変更
【補正の内容】
【００１６】
本発明によれば、放射線検出装置に専用のセンサを追加することなく、放射線検出パネルに対する被写体の位置を求めることのできる放射線撮影支援装置、これを備える放射線検出装置、放射線撮影装置、放射線撮影支援方法、及び放射線撮影支援プログラムを提供することができる。
【手続補正２】
【補正対象書類名】明細書
【補正対象項目名】００２５
【補正方法】変更
【補正の内容】
【００２５】
制御装置４は、各種のプロセッサと、ＲＡＭ（Ｒａｎｄｏｍ  Ａｃｃｅｓｓ  Ｍｅｍｏ
ｒｙ）と、ＲＯＭ（Ｒｅａｄ  Ｏｎｌｙ  Ｍｅｍｏｒｙ）と、を備える。
【手続補正３】
【補正対象書類名】明細書
【補正対象項目名】００２６
【補正方法】変更
【補正の内容】
【００２６】
各種のプロセッサとしては、プログラムを実行して各種処理を行う汎用的なプロセッサ
であるＣＰＵ（Ｃｅｎｔｒａｌ  Ｐｒｏｃｅｓｓｉｎｇ  Ｕｎｉｔ）、ＦＰＧＡ（Ｆｉｅ
ｌｄ  Ｐｒｏｇｒａｍｍａｂｌｅ  Ｇａｔｅ  Ａｒｒａｙ）等の製造後に回路構成を変更
可能なプロセッサであるプログラマブルロジックデバイス（Ｐｒｏｇｒａｍｍａｂｌｅ  
Ｌｏｇｉｃ  Ｄｅｖｉｃｅ：ＰＬＤ）、又はＡＳＩＣ（Ａｐｐｌｉｃａｔｉｏｎ  Ｓｐｅ
ｃｉｆｉｃ  Ｉｎｔｅｇｒａｔｅｄ  Ｃｉｒｃｕｉｔ）等の特定の処理を実行させるため
に専用に設計された回路構成を有するプロセッサである専用電気回路等が含まれる。
【手続補正４】
【補正対象書類名】明細書
【補正対象項目名】００４４
【補正方法】変更
【補正の内容】
【００４４】
電子カセッテ１は、図２に示す透過板１５と重なる光検出基板１２の範囲である撮影領
域１６０と、光検出基板１２に形成された駆動回路１７と、光検出基板１２に形成された
信号処理回路１８と、制御装置４と無線通信を行うための通信インタフェース（Ｉ／Ｆ）
２０と、駆動回路１７、信号処理回路１８、及び通信インタフェース２０を制御するカセ
ッテ制御部１９と、ＲＡＭ（Ｒａｎｄｏｍ  Ａｃｃｅｓｓ  Ｍｅｍｏｒｙ）及びＲＯＭ（
Ｒｅａｄ  Ｏｎｌｙ  Ｍｅｍｏｒｙ）を含むメモリ２１と、を備える。
【手続補正５】
【補正対象書類名】明細書
【補正対象項目名】００６２
【補正方法】変更
【補正の内容】
【００６２】
第一の読み出し制御部４１は、電子カセッテ１の上に被写体Ｈが載っている状態を、撮影装置３によって撮像された画像から判断したり、画素１６から読み出した画素信号のばらつきが設計値と大きく離れているかどうかによって判断したりしてもよい。
【手続補正６】
【補正対象書類名】明細書
【補正対象項目名】０１１５
【補正方法】変更
【補正の内容】
【０１１５】
なお、撮影対象部位に関わらずに、第一の読み出し制御部４１、第一の演算部４３、第二の演算部４４、及び報知処理部４５の機能が常時有効化されてもよい。つまり、図８においてステップＳ４を削除し、ステップＳ３の後、ステップＳ５に移行するようにしてもよい。
【手続補正７】
【補正対象書類名】明細書
【補正対象項目名】０１３７
【補正方法】変更
【補正の内容】
【０１３７】
（５）
（１）〜（４）のいずれか１つに記載の放射線撮影支援装置であって、
放射線撮影装置に対して、生体の胸部又は腹部を上記被写体とする情報が設定された場合に、上記第一の読み出し制御部、上記第一の演算部、及び上記報知処理部の機能が有効化される放射線撮影支援装置。
【手続補正８】
【補正対象書類名】特許請求の範囲
【補正対象項目名】全文
【補正方法】変更
【補正の内容】
【特許請求の範囲】
【請求項１】
二次元状に配置された複数の画素を有し、放射線源から照射された放射線を検出する放射線検出パネルを用いた被写体の撮影を支援する放射線撮影支援装置であって、
前記放射線源から放射線が非照射の状態、且つ前記放射線検出パネルの上に被写体が載っている状態において、前記複数の画素の少なくとも一部の画素から第一の画素信号を読み出させる第一の読み出し制御部と、
前記第一の画素信号に基づいて、前記放射線検出パネルに対する前記被写体の位置を求める第一の演算部と、
前記被写体の前記位置が予め決められた範囲外にある場合に報知処理を行う報知処理部と、を備える放射線撮影支援装置。
【請求項２】
請求項１記載の放射線撮影支援装置であって、
前記放射線源から放射線が非照射の状態、且つ前記放射線検出パネルの上に被写体が載っていない状態において、前記複数の画素の少なくとも一部の画素から第二の画素信号を読み出させる第二の読み出し制御部を更に備え、
前記第一の演算部は、前記第二の画素信号に基づいて得られた値を用いて前記第一の画素信号を処理して得られる値が閾値以上となる前記画素を特定し、特定した前記画素の位置に基づいて、前記放射線検出パネルに対する前記被写体の位置を求める放射線撮影支援装置。
【請求項３】
請求項２記載の放射線撮影支援装置であって、
前記第一の演算部は、前記特定した前記画素の集まる領域が３つ以上に分かれている場合には、前記３つ以上の前記領域によって囲まれる範囲の重心位置を前記被写体の位置として算出する放射線撮影支援装置。
【請求項４】
請求項２又は３記載の放射線撮影支援装置であって、
前記第一の演算部は、前記特定した前記画素の集まる領域が２つに分かれている場合には、前記２つの前記領域の各々の重心の中間位置を前記被写体の位置として算出する放射線撮影支援装置。
【請求項５】
請求項１〜４のいずれか１項記載の放射線撮影支援装置であって、
放射線撮影装置に対して、生体の胸部又は腹部を前記被写体とする情報が設定された場合に、前記第一の読み出し制御部、前記第一の演算部、及び前記報知処理部の機能が有効化される放射線撮影支援装置。
【請求項６】
請求項１〜４のいずれか１項記載の放射線撮影支援装置であって、
前記予め決められた前記範囲は、前記被写体の撮影対象部位に応じて変更される放射線撮影支援装置。
【請求項７】
請求項１〜６のいずれか１項記載の放射線撮影支援装置であって、
前記放射線源に対する前記被写体の位置を求める第二の演算部を更に備え、
前記報知処理部は、更に、前記第二の演算部によって求められた前記位置が予め決められた範囲外にある場合に報知処理を行う放射線撮影支援装置。
【請求項８】
請求項１〜７のいずれか１項記載の放射線撮影支援装置と、
前記放射線検出パネルと、を備える放射線検出装置。
【請求項９】
請求項１〜７のいずれか１項記載の放射線撮影支援装置と、
前記放射線検出パネルと、
前記放射線源と、を備える放射線撮影装置。
【請求項１０】
請求項１〜７のいずれか１項記載の放射線撮影支援装置であって、
前記放射線検出パネルを有する放射線検出装置の外部に設けられた前記放射線検出装置と通信可能な制御装置に搭載されている放射線撮影支援装置。
【請求項１１】
二次元状に配置された複数の画素を有し、放射線源から照射された放射線を検出する放射線検出パネルを用いた被写体の撮影を支援する放射線撮影支援方法であって、
前記放射線源から放射線が非照射の状態、且つ前記放射線検出パネルの上に被写体が載っている状態において、前記複数の画素の少なくとも一部の画素から第一の画素信号を読み出させる第一の読み出し制御ステップと、
前記第一の画素信号に基づいて、前記放射線検出パネルに対する前記被写体の位置を求める演算ステップと、
前記被写体の前記位置が予め決められた範囲外にある場合に報知処理を行う報知処理ステップと、を備える放射線撮影支援方法。
【請求項１２】
二次元状に配置された複数の画素を有し、放射線源から照射された放射線を検出する放射線検出パネルと、前記放射線検出パネルに対して放射線を照射する放射線源と、を備える放射線撮影装置を用いた被写体の撮影を支援する放射線撮影支援プログラムであって、
前記放射線源から放射線が非照射の状態、且つ前記放射線検出パネルの上に被写体が載っている状態において、前記複数の画素の少なくとも一部の画素から第一の画素信号を読み出させる第一の読み出し制御ステップと、
前記第一の画素信号に基づいて、前記放射線検出パネルに対する前記被写体の位置を求める演算ステップと、
前記被写体の前記位置が予め決められた範囲外にある場合に報知処理を行う報知処理ステップと、をコンピュータに実行させるための放射線撮影支援プログラム。
【手続補正９】
【補正対象書類名】図面
【補正対象項目名】図１
【補正方法】変更
【補正の内容】
【図１】
2019103748.tif 000001
【手続補正１０】
【補正対象書類名】図面
【補正対象項目名】図４
【補正方法】変更
【補正の内容】
【図４】
2019103748.tif 000002